(57)【要約】【課題】より容易に被取付部材に取り付けることができる照明器具及び照明装置を提供する。【解決手段】照明器具２は、本体部３と、可動部４と、を備える。本体部３は筒状部６を有する。本体部３には光源が取り付けられる。本体部３は被取付部材１０の孔１００に挿入される。可動部４は長手方向Ｄ１の先端に先端部４５を有する。可動部４は筒状部６に対して回転するように接続位置４２０において筒状部６に取り付けられている。可動部４は第一状態から第二状態へと変化するように回転する。第一状態では、長手方向Ｄ１が筒状部６の軸方向６０に沿う。第二状態では、長手方向Ｄ１が軸方向６０に直交する方向に沿っており、先端部４５と接続位置４２０とのうち先端部４５の方が筒状部６から遠い。【選択図】図１
2018041695.tif 000002
【特許請求の範囲】
【請求項１】
筒状部を有し、光源が取り付けられ、被取付部材の孔に挿入される本体部と、
長手方向の先端に先端部を有し、前記筒状部に対して回転するように接続位置において前記筒状部に取り付けられている可動部と、を備え、
前記可動部は、
前記長手方向が前記筒状部の軸方向に沿った第一状態から、
前記長手方向が前記軸方向に直交する方向に沿っており、前記先端部と前記接続位置とのうち前記先端部の方が前記筒状部から遠い第二状態へと変化するように回転することを特徴とする照明器具。
【請求項２】
前記長手方向に平行に前記接続位置から前記先端部へ向かう向きを前記可動部の向きとし、
前記可動部が前記第一状態のとき、前記可動部の前記向きは、前記光源からの光が前記本体部の外部へ放射される向きに沿っており、
前記本体部は、
前記可動部が前記第二状態のとき、前記可動部に接し、前記可動部が前記第一状態に変化するときとは反対向きに前記可動部が回転することを抑制するストッパを更に有することを特徴とする請求項１記載の照明器具。
【請求項３】
前記本体部に取り付けられている枠体を更に備え、
前記本体部において、前記光源からの光を外部に放射する面を光放射面とし、
前記枠体は、
前記軸方向において前記本体部の前記光放射面側に取り付けられており、
前記軸方向に直交する方向において前記筒状部の外径よりも外径が長い支持部を有し、
前記支持部は、前記第二状態である前記可動部とともに前記被取付部材を挟むことを特徴とする請求項１又は２に記載の照明器具。
【請求項４】
前記可動部に取り付けられているばねを更に備え、
前記可動部が前記第二状態のとき、前記ばねは、前記可動部と前記被取付部材とに挟まれ、前記軸方向に伸縮することを特徴とする請求項３記載の照明器具。
【請求項５】
請求項１〜４のいずれか一項に記載の照明器具と、
前記光源と、を備える照明装置。
【発明の詳細な説明】
【技術分野】
【０００１】
本発明は照明器具及び照明装置に関し、より詳細には、被取付部材に取り付けられる照明器具及びこの照明器具を備える照明装置に関する。
【背景技術】
【０００２】
従来例として特許文献１記載の照明器具を例示する。特許文献１記載の照明器具は、光源部（光源）と、灯具本体と、灯具本体の外周に設けられている取付バネと、灯具本体の下部周縁から外側へ突出したフランジ部とを有する。照明器具を天井材等の取付壁部（被取付部材）に取り付ける作業において、作業者は、取付バネを手で押さえて弾性変形させた状態で、取付壁部に設けられた取付穴（被取付部材の孔）に照明器具を挿入する。その後、取付バネが上から取付壁部を押さえ、フランジ部が下から取付壁部を押さえることによって、照明器具が取付壁部に固定される。
【先行技術文献】
【特許文献】
【０００３】
【特許文献１】特開２０１５−１４９１９９号公報
【発明の概要】
【発明が解決しようとする課題】
【０００４】
しかしながら、特許文献１記載の照明器具は、照明器具を取付壁部に取り付ける際、作業者が取付バネを保持しながら、取付バネを灯具本体とともに取付穴に挿入する必要があった。
【０００５】
本発明は、より容易に被取付部材に取り付けることができる照明器具及び照明装置を提供することを目的とする。
【課題を解決するための手段】
【０００６】
上記の課題を解決するために、本発明の一態様に係る照明器具は、本体部と、可動部と、を備える。前記本体部は筒状部を有する。前記本体部には光源が取り付けられる。前記本体部は被取付部材の孔に挿入される。前記可動部は長手方向の先端に先端部を有する。前記可動部は前記筒状部に対して回転するように接続位置において前記筒状部に取り付けられている。前記可動部は第一状態から第二状態へと変化するように回転する。前記第一状態では、前記長手方向が前記筒状部の軸方向に沿う。前記第二状態では、前記長手方向が前記軸方向に直交する方向に沿っており、前記先端部と前記接続位置とのうち前記先端部の方が前記筒状部から遠い。
【０００７】
本発明の一態様に係る照明装置は、前記照明器具と、前記光源と、を備える。
【発明の効果】
【０００８】
本発明の一態様に係る照明器具及び照明装置は、より容易に被取付部材に取り付けることができる。
【図面の簡単な説明】
【０００９】
【図１】図１は、本発明の一実施形態に係る照明装置において可動部が第一状態のときの側面図である。
【図２】図２は、同上の照明装置において可動部が第二状態のときの側面図である。
【図３】図３は、同上の照明装置において可動部が第二状態のときの要部の断面図である。
【図４】図４は、同上の照明装置の斜視図である。
【図５】図５は、同上の照明装置の可動部の斜視図である。
【発明を実施するための形態】
【００１０】
以下、本発明の実施形態に係る照明器具及び照明装置について、図面を用いて説明する。以下、特に断りのない限り、図１においてヒートシンク８が位置している側を照明装置１の上として、筒状部６が位置している側を照明装置１の下とする。
【００１１】
本実施形態の照明装置１は、図２、図３に示すように、光源２０と、照明器具２と、を備えている。照明器具２は、本体部３と、２つの可動部４と、２つのばね４６と、枠体５と、を備えている。
【００１２】
本体部３は、筒状部６と、２つのストッパ７と、ヒートシンク８と、導光部材９と、を有している。
【００１３】
図３に示すように、筒状部６は円筒状に形成されている。筒状部６は、上端に開口６１を、下端に開口６２を有している。ヒートシンク８は、アルミニウム等の熱伝導性が高い材料により形成されている。ヒートシンク８は、図４に示すように、有底円筒状のヒートシンク本体８０と、複数のフィン８１とを有している。これらは一体に形成されている。各フィン８１は板状であり、ヒートシンク本体８０から、上向き及びヒートシンク本体８０の径方向の外向きに突出している。複数のフィン８１は、ヒートシンク本体８０において、上下方向から見て略等間隔に配置されている。図３に示すように、ヒートシンク本体８０は、筒状部６の軸方向６０（上下方向）において筒状部６に接続されている。ヒートシンク本体８０及び筒状部６は、内部に空間を有しており、当該空間に光源２０及び導光部材９が収容されている。
【００１４】
光源２０は、基板２１と、基板２１に実装されている図示しないＬＥＤ（Light Emitting  Diode）素子とを含む。光源２０は、図示しない電源から電力の供給を受けて光を放射する。光源２０で発生した熱は、ヒートシンク８により空気中に放熱される。なお、光源２０において基板２１には、ＬＥＤ素子に代えて半導体レーザや、有機ＥＬ（Electroluminescence）や無機ＥＬ等の発光素子が実装されていてもよい。
【００１５】
導光部材９は円筒状に形成されている。導光部材９の上端には光源２０が取り付けられている。すなわち、光源２０は本体部３に取り付けられている。導光部材９の内面９０は白色系の樹脂材料等により塗装されている。内面９０は、光源２０から放射された光を反射して下向きに配光する。また、導光部材９の下端にはレンズ９１が取り付けられている。レンズ９１は、光源２０から放射された光を配光する。なお、内面９０は金属材料による鏡面であってもよい。
【００１６】
光源２０から放射された光は、導光部材９の内部の空間を通り、レンズ９１を通って導光部材９の下方へ取り出される。さらに、導光部材９から取り出された光は、筒状部６の下端の開口６２から本体部３の外部へ取り出される。すなわち、光源２０から放射された光は、開口６２から本体部３の外部へ下向きに取り出される。本体部３において開口６２は、光源２０からの光を外部に放射する光放射面に相当する。
【００１７】
枠体５は、取付部５０と、支持部５１と、周壁部５２と、を有している。これらは一体に形成されている。取付部５０及び支持部５１は、円環形の板状に形成されている。取付部５０及び支持部５１は、平面視において同心円状である。取付部５０及び支持部５１は、互いに略平行に向かい合っている。取付部５０は、支持部５１よりも外径が短い。取付部５０は、支持部５１よりも上側に位置している。周壁部５２は筒状に形成されている。周壁部５２は、取付部５０の外縁５０１及び支持部５１の内縁５１２に接続されている。周壁部５２は、上下方向において支持部５１側（下側）に行くほど外径が長い。つまり、周壁部５２の周面５２０は円錐台の側面状である。枠体５は、取付部５０の内側に開口５０３を有している。また、枠体５は、支持部５１の内側に開口５１３を有している。枠体５は、開口５０３から周壁部５２の内部を経由して開口５１３まで貫通している。
【００１８】
ストッパ７は直方体状である。ストッパ７は、筒状部６と一体に形成されている。ストッパ７は、筒状部６の外周面６３から、筒状部６の径方向に突出している。ストッパ７は貫通孔７０を有している。貫通孔７０は、ストッパ７の突出方向及び軸方向６０に直交する方向にストッパ７を貫通している。ストッパ７は、下面７１に窪み部７２を有している。窪み部７２は外周面６３に沿って設けられている。ストッパ７は、窪み部７２において上向きに窪んでいる。図２に示すように、２つのストッパ７は、筒状部６を挟んで互いに向かい合って設けられている。
【００１９】
可動部４は、図５に示すように、天板４０と、一対の側板４１と、一対（図５では１つのみを図示）の取付片４２と、一対の底板４３と、接触片４４と、を備えている。これらは一体に形成されている。天板４０は矩形平板状に形成されている。天板４０の互いに向かい合う２辺４００からはそれぞれ、側板４１及び取付片４２が、天板４０に直交する方向に延びている。取付片４２は、側板４１に繋がっている。可動部４の長手方向Ｄ１は、辺４００に沿った方向である。各側板４１の下端４１０からは、底板４３が天板４０に平行に延びている。可動部４は、一対の取付片４２において、一対（図５では１つのみを図示）の接続位置４２０を有している。接続位置４２０には貫通孔４２１が形成されている。
【００２０】
可動部４は、一対の接続位置４２０において、一対（図５では１つのみを図示）の段付きねじ４２２によりストッパ７に接続している。つまり、可動部４は接続位置４２０において、ストッパ７を介して筒状部６に取り付けられている。
【００２１】
可動部４において、筒状部６側とは反対側の先端を、先端部４５とする。先端部４５は、可動部４の長手方向Ｄ１の先端である。先端部４５は側板４１に含まれている。長手方向Ｄ１に平行に接続位置４２０から先端部４５へ向かう向きを、可動部４の向きＳ１とする。
【００２２】
段付きねじ４２２は、可動部４の接続位置４２０の貫通孔４２１に挿入されてから、ストッパ７の貫通孔７０（図３参照）に挿入されている。段付きねじ４２２に形成されている図示しないねじ山（ねじ溝）が、貫通孔７０に形成されている図示しないねじ溝（ねじ山）と噛み合うことにより、段付きねじ４２２は、筒状部６に対して動かないようストッパ７に固定されている。可動部４は、接続位置４２０を中心として、筒状部６に対して回転する。すなわち、可動部４は、段付きねじ４２２を軸に回転する。さらに言い換えれば、可動部４は、一対の接続位置４２０を互いに結ぶ線分を軸に回転する。可動部４は回転することにより、次のように、第一状態から第二状態へ、また第二状態から第一状態へと変化する。
【００２３】
図１に示すように可動部４が第一状態のとき、可動部４の長手方向Ｄ１は軸方向６０に沿っており、可動部４の向きＳ１は、光源２０（図３参照）からの光が本体部３の外部へ放射される向きに沿っている。２つの可動部４の向きＳ１は同じ向きである。
【００２４】
図２に示すように可動部４が第二状態のとき、可動部４の長手方向Ｄ１は軸方向６０に直交する方向に沿っている。また、先端部４５と接続位置４２０とのうち先端部４５の方が筒状部６から遠い。ここで、筒状部６とは筒状部６の内部の空間も含む。可動部４の向きＳ１は、ストッパ７から筒状部６の径方向の外側へ向かう向きに一致している。２つの可動部４の向きＳ１は、互いに反対向きである。
【００２５】
図１に示すように、可動部４に操作が加えられていないとき、可動部４は、自重によって第一状態となる。なお、可動部４は段付きねじ４２０の締付け力などの外部の力によって第一状態に保たれていてもよい。
【００２６】
また、図３に示すように、可動部４が第二状態のとき、軸方向６０に直交する方向における接続位置４２０から先端部４５までの長さＬ６は、軸方向６０における接続位置４２０から可動部４の端（辺４００）までの長さＬ７よりも長い。したがって可動部４は、第二状態のとき、第一状態のときと比較して、軸方向６０に直交する方向において長尺である。すなわち可動部４は第二状態のとき、第一状態のときと比較して、筒状部６の径方向において、筒状部６に対して外側へより長く延びている。これにより、２つの可動部４が第一状態のときの可動部４における照明器具２の外径Ｌ３（図１参照）は、２つの可動部４が第二状態のときの可動部４における照明器具２の外径Ｌ４（図２参照）よりも短い。ここで、可動部４における照明器具２の外径Ｌ３、Ｌ４とは、２つの可動部４と２つのばね４６と２つのストッパ７と筒状部６と後述の２つのねじ４６０との、軸方向６０に直交する方向における最大の長さである。
【００２７】
２つのばね４６は、１つの可動部４につき１つずつ、可動部４に取り付けられている。ばね４６は板状である。ばね４６は断面略Ｖ字状に形成されている。ばね４６は、ねじ４６０により天板４０に取り付けられている。可動部４が第二状態のとき、ばね４６は、天板４０の下方に位置しており、軸方向６０に弾性的に伸縮する。すなわち、可動部４が第二状態のとき、ばね４６は、可動部４から、軸方向６０に沿って、光源２０からの光が本体部３の外部へ放射される向き（下向き）に進んだ位置にある。
【００２８】
可動部４が第二状態のとき、可動部４の接触片４４は、天板４０における筒状部６に近い側の辺４０１から、天板４０に直交する向きに延びており、ストッパ７に接している。可動部４が第二状態のとき、可動部４が第一状態に変化するときとは反対向き（図３では、接続位置４２０を中心として先端部４５が時計回りに変位する向き）に回転しようとすると、接触片４４がストッパ７に当たることにより可動部４の回転が抑えられる。すなわち、ストッパ７は、可動部４が第二状態のとき、可動部４が第一状態に変化するときとは反対向きに可動部４が回転することを抑制する。
【００２９】
照明器具２は、図２に示すように、被取付部材１０に取り付けられる。被取付部材１０は、例えば天井パネルである。被取付部材１０には、孔１００が設けられている。孔１００は円形に形成されている。なお、図１及び図２において、被取付部材１０のみ、孔１００の直径（Ｌ５）を含む面であって法線方向が紙面の奥行き方向に一致する面で切断した断面として図示している。図１に示すように、孔１００の直径Ｌ５は、２つの可動部４が第一状態のときの可動部４における照明器具２の外径Ｌ３よりもやや長い。また、図２に示すように、孔１００の直径Ｌ５は、枠体５の支持部５１の外径Ｌ１よりも短い。
【００３０】
被取付部材１０への照明器具２の取付作業では、図１に示すように、ヒートシンク８が孔１００に下方から挿入され、続いて筒状部６が、第一状態の可動部４とともに孔１００に下方から挿入される。すなわち、本体部３が孔１００に挿入される。可動部４は、接続位置４２０を中心に回転させられて、図２に示すように第二状態になる。可動部４は、被取付部材１０とともにばね４６を挟んで、被取付部材１０の上面１０１よりも上方に位置する。さらに、枠体５が、取付部５０を上にして孔１００に下方から挿入される。枠体５における取付部５０は、本体部３との間に円環状の化粧プレート５３を挟んで、本体部３の下面３０（筒状部６の下面）側に取り付けられる。つまり、図３に示すように、枠体５は軸方向６０（上下方向）において、本体部３の開口６２（光放射面）側（下側）に取り付けられる。取付部５０は、下面３０において枠体５側からねじ止めされることにより本体部３に取り付けられる。軸方向６０に直交する方向において、支持部５１の外径Ｌ１（図２参照）は、筒状部６の外径Ｌ２（図１参照）よりも長い。図２に示すように、枠体５の支持部５１は、被取付部材１０の下面１０２に接する。
【００３１】
このように、第二状態である可動部４がばね４６を介して上面１０１から被取付部材１０を押さえ、支持部５１が下面１０２から被取付部材１０を押さえることによって、照明器具２は被取付部材１０に取り付けられる。つまり、可動部４及び支持部５１が被取付部材１０を挟んだ状態で、照明器具２は被取付部材１０に固定される。したがって、照明器具２は、強風が吹き付けることがある軒下天井材など、照明器具２に圧力や振動が生じやすい場所にある被取付部材１０にも設置することができる。
【００３２】
図３に示すように、光源２０から放射されて筒状部６の開口６２から取り出された光は、枠体５の開口５０３から枠体５の内部の空間に入り、枠体５の開口５１３から照明器具２の外部へ取り出される。
【００３３】
図１に示すように、照明器具２では、可動部４が第一状態のとき可動部４における照明器具２の外径Ｌ３が短いので、被取付部材１０の孔１００の大きさを変えることなく、筒状部６の外径Ｌ２を長くすることができる。また、光源２０（図３参照）から放射された光が取り出される、筒状部６の内径（開口６２の直径。図３参照。）も長くすることができる。
【００３４】
図２に示すように、照明器具２が被取付部材１０に取り付けられているとき、第二状態の可動部４から、枠体５の支持部５１までの軸方向６０の距離Ｌ８は一定である。一方で、被取付部材１０の厚みＬ９は仕様によって異なることがあり、可動部４から支持部５１までの距離Ｌ８に一致しない場合がある。ばね４６は、ばね４６から支持部５１までの軸方向６０の距離Ｌ１０が、被取付部材１０の厚みＬ９と等しくなるように軸方向６０に伸縮して、被取付部材１０に接する。これにより、可動部４が被取付部材１０との間にばね４６を挟んだ状態で、可動部４及び支持部５１がさまざまな厚みの被取付部材１０を挟むことができて、照明器具２をさまざまな厚みの被取付部材１０に固定することができる。
【００３５】
上記の通り、本実施形態に係る照明器具２は、本体部３と、可動部４と、を備える。本体部３は筒状部６を有する。本体部３には光源２０が取り付けられる。本体部３は被取付部材１０の孔１００に挿入される。可動部４は長手方向Ｄ１の先端に先端部４５を有する。可動部４は筒状部６に対して回転するように接続位置４２０において筒状部６に取り付けられている。可動部４は第一状態から第二状態へと変化するように回転する。第一状態では、長手方向Ｄ１が筒状部６の軸方向６０に沿う。第二状態では、長手方向Ｄ１が軸方向６０に直交する方向に沿っており、先端部４５と接続位置４２０とのうち先端部４５の方が筒状部６から遠い。
【００３６】
従来の照明器具は取付バネにより被取付部材１０に取り付けられるのに対して、上記の構成の照明器具２は、可動部４により被取付部材１０に取り付けられる。可動部４は回転可能なので、照明器具２を被取付部材１０に取り付けられる際に、可動部４を第一状態に保つために必要な力が小さくて済む。また、第一状態である可動部４の長手方向Ｄ１が鉛直方向に沿っていれば、可動部４を第一状態に保つために可動部４に力を加える必要がない。したがって、照明器具２は、より容易に被取付部材１０に取り付けられる。
【００３７】
また、本実施形態に係る照明器具２において、長手方向Ｄ１に平行に接続位置４２０から先端部４５へ向かう向きを可動部４の向きＳ１としている。可動部４が第一状態のとき、可動部４の向きＳ１は、光源２０からの光が本体部３の外部へ放射される向きに沿っている。本体部３は、ストッパ７を更に有する。ストッパ７は、可動部４が第二状態のとき、可動部４に接し、可動部４が第一状態に変化するときとは反対向きに可動部４が回転することを抑制する。
【００３８】
上記の構成により、照明器具２では、可動部４が第二状態のとき、被取付部材１０に接した可動部４が、第一状態に変化するときとは反対向きに回転して第二状態ではなくなることを抑制することができる。
【００３９】
また、本実施形態に係る照明器具２は、枠体５を更に備える。枠体５は、本体部３に取り付けられている。本体部３において、光源２０からの光を外部に放射する面を光放射面（開口６２）としている。枠体５は、軸方向６０において本体部３の上記光放射面側に取り付けられている。枠体５は支持部５１を有する。支持部５１は、軸方向６０に直交する方向において筒状部６の外径Ｌ２よりも外径Ｌ１が長い。支持部５１は、第二状態である可動部４とともに被取付部材１０を挟む。
【００４０】
上記の構成により、照明器具２は、枠体５と可動部４とで被取付部材１０を挟むことによって、被取付部材１０に強固に固定することができる。
【００４１】
また、本実施形態に係る照明器具２は、ばね４６を更に備える。ばね４６は可動部４に取り付けられている。可動部４が第二状態のとき、ばね４６は、可動部４と被取付部材１０とに挟まれ、軸方向６０に伸縮する。
【００４２】
上記の構成により、照明器具２は、可動部４及び被取付部材１０がばね４６を挟んだ状態で、可動部４及び支持部５１がさまざまな厚みの被取付部材１０を挟むことができる。したがって、照明器具２をさまざまな厚みの被取付部材１０に固定することができる。
【００４３】
また、本実施形態に係る照明装置１は、照明器具２と、光源２０と、を備える
上記の構成により、照明装置１は、より容易に被取付部材１０に取り付けられる。
【００４４】
なお、本実施形態において、可動部４が第一状態のとき、可動部４の向きＳ１は、光源２０からの光が本体部３の外部へ放射される向きとは反対向き（上向き）に沿っていてもよい。
【００４５】
また、可動部４はストッパ７に取り付けられていなくてもよい。例えば、可動部４はストッパ７を介さずに、筒状部６の外周面６３や下面３０に直接取り付けられていてもよい。あるいは、可動部４はストッパ７とは別の部材を介して筒状部６に取り付けられていてもよい。つまり、可動部４は、筒状部６に直接取り付けられていてもよいし、筒状部６に間接的に取り付けられていてもよい。
【００４６】
また、照明器具２はストッパ７を備えていなくてもよい。また、照明器具２は枠体５を備えていなくてもよい。また、照明器具２は、ばね４６を備えていなくてもよい。
【００４７】
これらの場合であっても、照明器具２及び照明装置１は、被取付部材１０に容易に取り付けられる。
【００４８】
なお、本実施形態では、第二状態である可動部４は、ばね４６を被取付部材１０との間に挟んだ状態で、支持部５１とともに被取付部材１０を挟む。これに対して、第二状態である可動部４は、ばね４６を被取付部材１０との間に挟まずに、支持部５１とともに被取付部材１０を挟んでもよい。
【００４９】
また、筒状部６は円筒形に限定されず、筒状であればよい。筒状部６は、例えば角筒状であってもよい。
【００５０】
また、本実施形態では接続位置４２０は軸方向６０に直交する方向において、筒状部６の外周面６３よりも外側に位置しているが、接続位置４２０は軸方向６０に直交する方向において、外周面６３よりも内側に位置していてもよい。さらに、本実施形態では、可動部４が第一状態のとき、軸方向６０に直交する方向において、可動部４は筒状部６の外側に位置しているが、可動部４が第一状態のとき、軸方向６０に直交する方向において、可動部４は筒状部６の内側に位置していてもよい。このように、可動部４が第一状態のとき、軸方向６０に直交する方向において、可動部４が筒状部６の内側に位置していると、可動部４における照明器具２の外径Ｌ３がより小さくなる。そのため、被取付部材１０の孔１００の大きさを変えることなく、筒状部６の開口６２の直径をより長くすることができる。
【００５１】
なお、以上説明した実施形態は本発明の一例である。このため、本発明はこれらの実施形態に限定されず、本発明の趣旨を逸脱しない範囲において種々の変形が可能である。
【符号の説明】
【００５２】
１  照明装置
２  照明器具
２０  光源
３  本体部
４  可動部
４５  先端部
４６  ばね
４２０  接続位置
５  枠体
５１  支持部
６  筒状部
６０  軸方向
６２  開口（光放射面）
７  ストッパ
１０  被取付部材
１００  孔
Ｄ１  長手方向
Ｌ１  支持部の外径
Ｌ２  筒状部の外径
Ｓ１  可動部の向き
【図１】
2018041695.tif 000003
【図２】
2018041695.tif 000004
【図３】
2018041695.tif 000005
【図４】
2018041695.tif 000006
【図５】
2018041695.tif 000007